(57)【要約】【課題】モニタリング用電子部品をタイヤに取付けるデバイス。【解決手段】上部にブロック（３０Ａ）を有するパッチ（２０）と、ブロック（３０Ａ）上に嵌合するモニタリング用パッケージとから成るデバイス。ブロック（３０Ａ）の互いに反対側にある２つの面（３２Ａ、３４Ａ）は互いに末広がり拡大して鳩尾状の断面形状を有する。パッケージはブロック上を滑動する反対形状の溝を有する。
2005530644.tif 000002
【特許請求の範囲】
【請求項１】
タイヤの内側ライナー上に結合される第１面とその反対側にある第２面とを有する平らなパッチと、上記第２面から延び且つ第２面上に配置されるブロックとからなり、このブロックは一つの輪郭形状を規定する互いに拡大して互いに反対側にある２つの面を有することを特徴とするモニタリング用パッケージをタイヤ表面に取付けるためのデバイス。
【請求項２】
モニタリング用電子部品を収容するパッケージをさらに有し、このパッケージが上記ブロックの輪郭形状とは逆の輪郭形状の溝を有する請求項１に記載のデバイス。
【請求項３】
互いに反対側にある２つの面が台形断面を規定する請求項１に記載のデバイス。
【請求項４】
互いに反対側にある２つの面が凸面である請求項１に記載のデバイス。
【請求項５】
互いに反対側にある２つの面が凹面である請求項１に記載のデバイス。
【請求項６】
互いに反対側にある２つの面がブロックの上側面と一緒になってＴ字形の断面形状を規定する請求項１に記載のデバイス。
【請求項７】
モニタリング用パッケージの相対摺動を防止するための戻り止め手段をさらに有する請求項１に記載のデバイス。
【請求項８】
タイヤの内側ライナー上に結合される第１面とその反対側にある第２面とを有する平らなパッチと、上記第２面から延び且つ第２面上に配置されるブロックと、このブロックの輪郭形状に相補的な輪郭形状の溝を有するタイヤモニタリング用電子部品を収容するパッケージとから成ることを特徴とするモニタリング用パッケージをタイヤ表面に取付けるためのデバイス。
【発明の詳細な説明】
【技術分野】
【０００１】
本発明はモニタリング用電子部品をタイヤの表面に取付けるためのデバイスに関するものである。
本発明は特に、電子部品を収容したパッケージをタイヤに確実に取付けるためのデバイスに関するものである。
【背景技術】
【０００２】
タイヤの運転条件、例えば圧力条件および温度条件をモニターすることの重要性が最近増加しており、従って、モニター装置をタイヤに取付けるデバイスの需要性も増している。既に種々のデバイスが入手可能である。
しかし、バッテリー交換や別のタイヤへ取付けるために、モニター装置を簡単に取り外すことができるようになっているデバイスはほとんど無い。
【発明の開示】
【発明が解決しようとする課題】
【０００３】
本発明はモニタリング用パッケージを自動車タイヤに取付けるデバイスを提供する。本発明デバイスはアースムーバー(大型パワーシャベル等)のような運搬車両用の大型オフロードタイヤに特に適している。
本発明デバイスを用いるとモニタリング用パッケージの着脱が簡単になる。このことは当該分野では極めて有利なことである。すなわち、本発明デバイスはオフロードタイヤが使用される厳しい条件下でモニタリング用パッケージを確実に固定させることができる。
【課題を解決するための手段】
【０００４】
本発明デバイスは、タイヤの表面へ結合される表面を有するパッチと、このパッチの上記表面とは逆の第２表面上に配置される取付けブロックとから成る。この取付けブロックは第２表面の面から垂直に延びて、取付け位置がパッチから離れた位置すなわちタイヤ表面から離れた位置に来るようにする。
【０００５】
取付けブロックの互いに反対側にある２つの面は互いに末広がりに拡大して係合用輪郭を区画し、パッケージはブロック上を摺動させて取付けできるようになっている。互いに反対側にある２つの面は第２面から直線状に延びるか、凹状または凸状のアーチ形状をしている。さらに、互いに反対側にある２つの面を特定位置で拡大してＴ字形またはＩ形等にすることもできる。モニタリング用パッケージには上記の係合用輪郭に嵌合する輪郭形状を有する溝を設けることができる。
ブロックおよびモニタリング用パッケージをロックするためにブロックおよびモニタリング用パッケージに戻り止め（凹凸）を形成することもできる。
本発明は添付図面を用いた以下の詳細な説明からよりよく理解できよう。
【発明を実施するための最良の形態】
【０００６】
本発明は着脱を容易にした電子パッケージを取付けるためのデバイスを提供する。
［図1］の平面図に示すように、本発明のデバイス１０はゴム材料の層から成るパッチ２０を含んでいる。このパッチ２０はタイヤの内側表面上に結合（接着）される第1面を有している（この第1面は図示されている面の反対側になる）。上記の結合は接着で行うか、ゴムの硬化で行うことができる。パッチ２０の第２面２４（第1面とは反対側の面すなわち上側の面）には取付けパッド２２が形成され、この取付けパッド２２上に取付けブロック３０が配置されている。この取付けブロック３０はパッド２２から上方へ延びている。取付けパッド２２はタイヤ回転運動時にタイヤからパッチ２０へ伝達される応力を分散させて、ブロック３０の損傷を防ぐ役目をする。
【０００７】
ブロック３０は互いに反対側にある２つの面３２、３４と上側面３６とを有する。これら３つの面によってタイヤモニタリング用電子部品のパッケージと係合する外側輪郭が規定される。
タイヤモニタリング用電子部品とはタイヤの運転条件を感知し、タイヤ外部からのデータを受信・転送し、識別情報または通信プロトコルを記憶するための電子装置またはタイヤに関して用いられるその他任意の電子デバイスを支持、保護するためのハウジング、容器、ボックス、その他の構造物を意味する。本発明は特定の電子装置に限定されるものではなく、また、特定の電子装置を請求するものでもない。
【０００８】
互いに反対側にある２つの面３２、３４とその間にある上側面３６との構造によって、上記のタイヤモニタリング用電子部品のパッケージは互いに反対側にある２つの面３２、３４に沿ってブロック３０上を滑動できるようになっている。このパッケージがタイヤ回転時にブロックから外れることはパッケージとそれが嵌合した上記面３２、３４、３６と間の摩擦によって阻止される。パッケージをブロックに固定するのにネジ等の機械的な止め具を用いることもできる。
また、パッケージを分割し、ブロック３０の周りに集め、上記の互いに反対側にある２つの面３２、３４と積極的に係合させることもできる。パッケージをブロックに固定するのにファスナー（固定具）を用いることもできる。
【０００９】
［図２］〜［図５］に示すように、ブロック３０の互いに反対側にある２つの面３２、３４はパッケージがブロックから上方すなわち垂直方向へ移動するのを防止すような形（または向き）をしている。本発明では互いに反対側にある２つの面３２、３４は垂直運動に抵抗するために互いに末広がりに（拡大するように）なっている。
【００１０】
［図２］は取付けパッチ２０の第1実施例で、この取付けパッチ２０はブロック３０Ａを有し、ブロック３０Ａはパッド２２から直線状に拡大した蟻尾状の溝から成る互いに反対側にある２つの面３２Ａ、３４Ａを有している。モニタリング用パッケージ５０はブロック３０Ａと相補形状の溝すなわちトラフ５２を有し、このトラフ５２がブロック３０Ａ上に嵌合する。
【００１１】
［図３］は第２実施例を示し、この場合の互いに反対側にある２つの面３２Ｂ、３４Ｂは凸状アーチ形状をしている。モニタリング用パッケージ５０は断面形状がコップ形をしたトラフ５２Ｂを有し、このトラフ５２Ｂがブロック３０Ｂに嵌合する。
【００１２】
［図４］に示すブロック３０Ｃは凹状のアーチ形状をした互いに反対側にある２つの面３２Ｃ、３４Ｃを有している。モニタリング用パッケージ５０は断面形状が砂時計の形をしたトラフ５２Ｃを有し、このトラフ５２Ｃがブロック３０Ｃに嵌合する。
【００１３】
［図５］に示すブロック３０Ｄは断面形状がＴ字形をした互いに反対側にある２つの面３２Ｄ、３４Ｄを有している。これらの面３２Ｄ、３４Ｄはパッド２２の付近では互いに平行であるが、上側面３６の近くで１８０度に分かれてＴ字形になっている。モニタリング用パッケージ５０は断面形状がＴ字形をしたトラフ５２Ｄを有している。
【００１４】
上記のブロック３０およびパッケージ５０にも［図１］、［図２］に示すような２つの面３２、３４の摩擦を補強して、パッケージが滑動しないようにする手段を設けることができる。例えば、ブロック３０の上側面３６にボタンのような戻り止め６０を形成し、パッケージ５０にそれに嵌合する凹み６２を形成することができる。ボタン６０は凹み６２に収容されてパッケージの滑動を阻止する力を加え、パッケージをブロック上に確実に固定する。また、ネジ等の機械的固定具を用いてパッケージ５０をブロックに固定することもできる。
【００１５】
以上、本発明の好ましい実施例を説明、図示したが、本明細書に記載の原理を他の具体例に応用できるということは当業者には理解できよう。本発明は上記記載のものに限定されるものでなく、請求の範囲によってのみ限定される。
【図面の簡単な説明】
【００１６】
【図１】本発明の取付けパッチとブロックの平面図。
【図２】本発明デバイスの第1実施例の側面図で、取付けブロックとそれに嵌合されるモニタリング用パッケージとを示す。
【図３】本発明デバイスの第２実施例の側面図で、取付けブロックとそれに嵌合されるモニタリング用パッケージとを示す。
【図４】本発明デバイスの第３実施例の側面図で、取付けブロックとそれに嵌合されるモニタリング用パッケージとを示す。
【図５】本発明デバイスのさらに他の実施例の側面図で、取付けブロックとそれに嵌合されるモニタリング用パッケージとを示す。
【符号の説明】
【００１７】
２０    パッチ
２２    取付けパッド
３０    取付けブロック
３２、３４  面
５０    モニタリング用パッケージ
５２    トラフ
【図１】
2005530644.tif 000003
【図２】
2005530644.tif 000004
【図３】
2005530644.tif 000005
【国際調査報告】
2005530644.tif 000006
2005530644.tif 000007